(57)【要約】      （修正有）【課題】使用者が操作時に同じ姿勢を維持することができ、使用時の安定性及び快適性を向上する操作制御装置を提供する。【解決手段】本操作制御装置は、基台１と、トラック装置２と、載置板３とを含み、そのうち、該基台前方の接合空間内にトラック装置を収容し、接合空間後側に軸部１１１を設け、且つ軸部から離れる他側表面上にフック部１１２を設け、トラック装置が具えるソケット体２１がローラー２２を収容し、その回路モジュール２３上の検出モジュール２３１にローラーの活動変位を検出させ、接続インタフェースモジュール２３３を介して電子装置と信号伝送を行い、電子装置のスクリーン上のポインタの同期移動を操作制御することに用い、載置板一側の接合部３１を基台上の軸部と相互に軸回転接合し、載置板下方の支持構造によりフック部上に支持し、支持構造が載置板上に支持する。【選択図】図２
0003162956.tif 000002
【実用新案登録請求の範囲】
【請求項１】
基台と、トラック装置と、載置板と、を含み、そのうち、
該基台前方は、接合空間を形成し、接合空間後側に１つ以上の軸部を設け、
該トラック装置は、基台の接合空間内に収容され、ソケット体と、ローラーと、回路モジュールと、を含み、ソケット体上に、ローラーを収容する転動溝を設け、転動溝底部に貫通孔を開設し、且つ回路モジュールが具える回路板上に貫通孔と突き合わせを形成でき、ローラーの活動変位を検出する検出モジュール及び所定の電子装置と信号伝送を行なうことができる接続インタフェースモジュールと、を設け、
該載置板一側は、基台上の軸部と相互に軸回転接合できる接合部を設け、且つ接合部から離れる他側下方と基台の間に載置板に支持し、所定の角度を形成できる支持構造を設ける操作制御装置。
【請求項２】
前記基台後側は、蓋板を結合し、蓋板と基台の間に収容空間を形成し、且つ収容空間内部にトラック装置と電気接続し、電源供給を行なうことができる電源制御モジュールを収容する請求項１に記載の操作制御装置。
【請求項３】
前記電源制御モジュールは、回路板と、電池を含み、蓋板底部に電池を収容できる収容室を設け、且つ収容室上方の開口が外蓋を結合する請求項２に記載の操作制御装置。
【請求項４】
前記基台下方にパッドを結合し、且つパッドは、エチレン酢酸ビニル共重合樹脂（ＥＶＡ）、ポリウレタン（ＰＵ）発砲又はプラスチック材質から形成される請求項１に記載の操作制御装置。
【請求項５】
前記基台左右二側は、それぞれ連動部材を具えた押圧部を設け、押圧部が連動部材を連動し、パッド上の対応するフック部材に離脱又はフックし、パッドと基台に分離組み立て状態を形成させる請求項４に記載の操作制御装置。
【請求項６】
前記トラック装置のソケット体は、載置台を有し、且つ載置台二側がそれぞれローラーに支持させることができるプッシャーを設け、回路モジュールの回路板上にプッシャーに転動支持させ、信号触発を行なう複数の制御スイッチを設けることができる請求項１に記載の操作制御装置。
【請求項７】
前記ソケット体外部は、殻体を被せ、且つ殻体上に載置台を定位させることができる鏤空溝を設け、鏤空溝上にローラーを露出させる外枠を設け、鏤空溝前方に収容溝を開設し、収容溝周囲にパッドを設け、回路板上に収容溝内に定位できるタッチ制御パネルを設ける請求項６に記載の操作制御装置。
【請求項８】
前記接続インタフェースモジュールは、ブルートゥース技術（bluetooth）、無線通信又は赤外線無線伝送インタフェースであることができ、且つ接続インタフェースモジュール上に電源スイッチを設け、ブルートゥース機能をオン又はオフするスイッチを押圧させることができる請求項１に記載の操作制御装置。
【請求項９】
前記接続インタフェースモジュールは、ＵＳＢ又はＰＳ２有線接続インタフェースであることができる請求項１に記載の操作制御装置。
【請求項１０】
前記載置板のトラック装置に隣接する一側に上向きに所定の電子装置側辺に係止できる定位を形成する係止ブロックを延伸する請求項１に記載の操作制御装置。
【請求項１１】
前記基台の軸部から離れる他側表面上にフック部を設け、載置板の接合部から離れる他側表面上に複数の接続部を設け、支持構造二側にそれぞれ接続部上に軸回転接合できる突き合わせ接合部を設け、且つ突き合わせ接合部の他側にフック部上に支持できる支持部を設ける請求項１に記載の操作制御装置。
【請求項１２】
前記載置板の接合部から離れる他側表面上に所定の電子装置底部と貼合を形成できる１つ以上のヒートシンク部材を設け、ヒートシンク部材により載置板底部と基台の間に形成するヒートシンク空間を露出する請求項１に記載の操作制御装置。
【請求項１３】
前記ヒートシンク部材は、アルミニウム又は銅材質で形成されることができる請求項１２に記載の操作制御装置。
【請求項１４】
前記載置板は、プラスチック、アルミニウム又は銅材質から形成されることができる請求項１に記載の操作制御装置。
【考案の詳細な説明】
【技術分野】
【０００１】
本考案は、操作制御装置に関し、特に、基台前方にトラック装置を収容し、基台後方側に支持構造を利用し電子装置が形成する傾斜角度を支持できる載置板を軸回転接合し、閲覧、トラック装置の操作使用に便利である操作制御装置に関する。
【背景技術】
【０００２】
昨今の電子科学技術の急速な発展により、各式可携帯の電子装置は、社会において普遍的な存在となっており、演算機能が益々強くなり、処理速度は、更に倍速で成長し、例えば、ノート型パソコン、ＰＤＡ、マルチメディア装置等は、既に人々の仕事及び生活娯楽において不可欠な部分となっており、そのうち、ノート型パソコンは、徐々にデスクトップ型パソコンに取って代わり、人々に広く使用されている。
【０００３】
しかしながら、大部分の使用者は、毎日パソコンにタッチし、マウス、キーボード等の周辺機器を利用し、パソコンの動作を操作し、即ち、スクリーン上のポインタを移動し、ドラッグ、選択、ドロップ、フレーム選択等を行なうことができ、又はキーボードによりタイピング入力を行うことができるが、マウスを長時間頻繁に使用すると、手根管症候群になり易いので、市場において手腕用のパッドがあり、手腕を軟質パッド上によりかからせ、操作上の不快を改善している。しかしながら、その操作において、依然として手腕を持ち上げマウスを大きな範囲で移動させる時、手腕がパッドから離れ、良好な支持を得ることができず、使用者が操作時に同一の姿勢を維持することが困難であり、パッドの実用性を大幅に低下させている。
【０００４】
また、使用者が戸外にいるか又は椅子に座っている時、往々にしてノート型パソコンを置くことができるテーブルが無いことにより、使用者は、通常片手をノート型パソコン底部に寄せ、もう片方の手で操作を行い、或いは、座った姿勢で、直接ノート型パソコンを両足上において使用し、上記のいずれの方式も、使用上の不便を招き、前者は、使用時に手部が硬直し、こりが生じ易く、後者も、使用者の不快感を引き起こし、その主要な要因は、ノート型パソコンの内部の主基板及び電子部材が何れも底部に設置されていることにより、長時間の動作において、一定の温度を発生し、同時に全体の動作上の安定性及び快適性に影響を及ぼし、これに鑑みて業者は、研究改善を欲するところとなっている。
【先行技術文献】
【特許文献】
【０００５】
【特許文献１】特開２００３−１２２４４８号公報
【考案の概要】
【考案が解決しようとする課題】
【０００６】
本考案の目的は、基台前方に電子装置スクリーン上のポインタの移動を操作制御するトラック装置を収容し、トラック装置の後側に載置板を軸回転接合し、載置板下方と基台との間に支持構造を設け、支持構造が上向きに載置板に支持することにより、載置板上に安置された電子装置に所定の傾斜角度を形成させ、使用者がスクリーンを閲覧し、両手をトラック装置に置き、使用でき、且つより円滑であるようにし、人体工学設計に適合することができ、使用者が操作時に同じ姿勢を維持することができ、使用時の安定性及び快適性を向上することにある。
【０００７】
本考案のもう１つの目的は、載置板表面上において、１つ以上のアルミ又は銅材質で形成されるヒートシンク部材を設け、ヒートシンク部材を電子装置底部に良好に貼付することにより、電子装置の動作時に発生する熱量をヒートシンク部材に迅速に熱伝導でき、ヒートシンク部材を介して載置板底部と基台の間に形成されるヒートシンク空間を露出し、電子装置を外部の冷たい空気により温度下降させ、全体のヒートシンク効率を向上することにある。
【０００８】
本考案のもう１つの目的は、基台後側が蓋体に結合し、蓋体及び基台の間に収容空間を形成し、且つ収容空間内部は、電源制御モジュール、ファン又はその他のヒートシンクを補助する装置又は構造を収容することができ、蓋体表面上にフック部を設け、載置板下方に軸回転接合する支持構造を引き動かし、フック部上に係止し、異なる高さに調整でき、電子装置側辺は、載置板一側の係止ブロックを受けて、定位の効果を形成することができるようにすることにある。
【０００９】
本考案のもう１つの目的は、基台底部がパッドを一体に成型してなるか、基台二側は、それぞれ連動部材を有する押圧部を設け、押圧部は、連動部材を連動するかパッド上の対応する支持部材に嵌合し、これによりパッド及び基台に分離構造状態を形成し、パッドに良好な緩衝、震動吸収機能を持たせ、使用者が両足上に安置して使用する時に快適にし、全体的な使用上の機能及び効果を向上することにある。
【課題を解決するための手段】
【００１０】
本考案の操作制御装置は、下記の特徴を有する。
（１）基台と、トラック装置と、載置板と、を含み、そのうち、
該基台前方は、接合空間を形成し、接合空間後側に１つ以上の軸部を設け、
該トラック装置は、基台の接合空間内に収容され、ソケット体と、ローラーと、回路モジュールと、を含み、ソケット体上に、ローラーを収容する転動溝を設け、転動溝底部に貫通孔を開設し、且つ回路モジュールが具える回路板上に貫通孔と突き合わせを形成でき、ローラーの活動変位を検出する検出モジュール及び所定の電子装置と信号伝送を行なうことができる接続インタフェースモジュールと、を設け、
該載置板一側は、基台上の軸部と相互に軸回転接合できる接合部を設け、且つ接合部から離れる他側下方と基台の間に載置板に支持し、所定の角度を形成できる支持構造を設ける操作制御装置。
（２）前記基台後側は、蓋板を結合し、蓋板と基台の間に収容空間を形成し、且つ収容空間内部にトラック装置と電気接続し、電源供給を行なうことができる電源制御モジュールを収容する（１）に記載の操作制御装置。
（３）前記電源制御モジュールは、回路板と、電池を含み、蓋板底部に電池を収容できる収容室を設け、且つ収容室上方の開口が外蓋を結合する（２）に記載の操作制御装置。
（４）前記基台下方にパッドを結合し、且つパッドは、エチレン酢酸ビニル共重合樹脂（ＥＶＡ）、ポリウレタン（ＰＵ）発砲又はプラスチック材質から形成される（１）に記載の操作制御装置。
（５）前記基台左右二側は、それぞれ連動部材を具えた押圧部を設け、押圧部が連動部材を連動し、パッド上の対応するフック部材に離脱又はフックし、パッドと基台に分離組み立て状態を形成させる（４）に記載の操作制御装置。
（６）前記トラック装置のソケット体は、載置台を有し、且つ載置台二側がそれぞれローラーに支持させることができるプッシャーを設け、回路モジュールの回路板上にプッシャーに転動支持させ、信号触発を行なう複数の制御スイッチを設けることができる（１）に記載の操作制御装置。
（７）前記ソケット体外部は、殻体を被せ、且つ殻体上に載置台を定位させることができる鏤空溝を設け、鏤空溝上にローラーを露出させる外枠を設け、鏤空溝前方に収容溝を開設し、収容溝周囲にパッドを設け、回路板上に収容溝内に定位できるタッチ制御パネルを設ける（６）に記載の操作制御装置。
（８）前記接続インタフェースモジュールは、ブルートゥース技術（bluetooth）、無線通信又は赤外線無線伝送インタフェースであることができ、且つ接続インタフェースモジュール上に電源スイッチを設け、ブルートゥース機能をオン又はオフするスイッチを押圧させることができる（１）に記載の操作制御装置。
（９）前記接続インタフェースモジュールは、ＵＳＢ又はＰＳ２有線接続インタフェースであることができる（１）に記載の操作制御装置。
（１０）前記載置板のトラック装置に隣接する一側に上向きに所定の電子装置側辺に係止できる定位を形成する係止ブロックを延伸する（１）に記載の操作制御装置。
（１１）前記基台の軸部から離れる他側表面上にフック部を設け、載置板の接合部から離れる他側表面上に複数の接続部を設け、支持構造二側にそれぞれ接続部上に軸回転接合できる突き合わせ接合部を設け、且つ突き合わせ接合部の他側にフック部上に支持できる支持部を設ける（１）に記載の操作制御装置。
（１２）前記載置板の接合部から離れる他側表面上に所定の電子装置底部と貼合を形成できる１つ以上のヒートシンク部材を設け、ヒートシンク部材により載置板底部と基台の間に形成するヒートシンク空間を露出する（１）に記載の操作制御装置。
（１３）前記ヒートシンク部材は、アルミニウム又は銅材質で形成されることができる（１２）に記載の操作制御装置。
（１４）前記載置板は、プラスチック、アルミニウム又は銅材質から形成されることができる（１）に記載の操作制御装置。
【考案の効果】
【００１１】
本考案は、基台前方に電子装置スクリーン上のポインタの移動を操作制御するトラック装置を収容し、トラック装置の後側に載置板を軸回転接合し、載置板下方と基台との間に支持構造を設け、支持構造が上向きに載置板に支持することにより、載置板上に安置された電子装置に所定の傾斜角度を形成させ、使用者がスクリーンを閲覧し、両手をトラック装置に置き、使用でき、且つより円滑であるようにし、人体工学設計に適合することができ、使用者が操作時に同じ姿勢を維持することができ、使用時の安定性及び快適性を向上する。
【図面の簡単な説明】
【００１２】
【図１】本考案の立体外観図である。
【図２】本考案の立体分解図である。
【図３】本考案の他の視角の立体分解図である。
【図４】本考案の好適実施例の側面断面図である。
【図５】本考案の好適実施例の平面図である。
【考案を実施するための形態】
【００１３】
上記目的及び構造を達成する為に本考案が採用する技術手段及びその効果について、図面に併せて本考案の好適実施例を挙げ、その構造及び機能を以下に詳細に説明する。
【００１４】
図１、図２、図３は、それぞれ本考案の立体外観図、立体分解図及び他の視角の立体分解図であり、図から分かるように、本考案は、基台１、トラック装置２及び載置板３を含み、本願の主要な構成部材及び特徴は、後に記載する。
【００１５】
該基台１前方に凹陥状を呈する接合空間１０を形成し、接合空間１０後側に蓋板１１を結合し、且つ蓋板１１及び基台１の間に収容空間１０１を形成し、蓋板１１は、接合空間１０よりの一側に１つ以上の軸部１１１を設け、軸部１１１から離れる他側表面上にフック部１１２を設ける。また、基台１下方にパッド１２を結合する。
【００１６】
該トラック装置２は、基台１の接合空間１０内に収容され、ソケット体２１、ローラー２２及び回路モジュール２３を含み、ソケット体２１は、載置台２１１及び底台２１２を有し、そのうち、載置台２１１上方にローラー２２を収容できる転動溝２１１１を設け、転動溝２１１１底部に接合空間１０に連通する貫通孔２１１２を開設し、且つ載置台２１１二側のフック溝２１１３内にそれぞれプッシャー２１１４を設ける。また、回路モジュール２３が具える回路板２３０上にそれぞれ貫通孔２１１２と付き合わせを形成し、載置台２１１内部のローラー２２の活動変位を検出できる検出モジュール２３１と、基台２１２上に定位でき、プッシャー２１１４と付き合わせ係止触発を形成する複数の制御スイッチ２３２と、電子装置４上のインタフェース接続ポート４１（図４参照）と信号伝送を行なうことができる接続インタフェースモジュール２３３と、接触させ、タッチ制御機能を行なわせることができるタッチ制御パネル２３４と、を設ける。また、ソケット体２１外部に覆う殻体２３上に載置台２１１を定位させる鏤空溝２４１を開設し、且つ鏤空溝２４１上にローラー２２を露出させることができる外枠２４１１を設け、鏤空溝２４１前方にタッチ制御パネル２３４を定位させることができる収容溝２４２を開設する。また、殻体２４の収容溝２４２周囲にパッド２５を設ける。
【００１７】
該載置板３一側に蓋板１１軸部１１１と相互に軸回転接合できる接合部３１を設け、接合部３１において上方に係止ブロック３１１を延伸し、且つ接合部３１から離れる他側表面上に１つ以上のヒートシンク部材３２、及びヒートシンク部材３２周囲に位置する複数の接続部３３を設け、接続部３３下方に支持構造３４を設け、その支持構造３４二側にそれぞれ接続部３３上に軸回転接合できる突き合わせ接合部３４１を設け、且つ   突き合わせ接合部３４１から離れる他側にフック部１１２上に嵌合でき、載置板３を支持し、所定の傾斜角度を形成する係止部３４２を設け、載置板３及び蓋板１１の間にヒートシンク空間３０を形成させる。
【００１８】
本考案の組み立て時、先ずトラック装置２を基台１の接合空間１０内に収容し、その底台２１２が接合空間１０上の定位部１３と接合後、回路板２３０を螺子を利用し螺合又は嵌合等の方式でソケット体２１又は基台１内部の結合部１４上に定位し、その後、殻体２４をソケット体２１外部に被せることができ、基台１片縁と嵌合固定後に一体になり、載置板３一側の接合部３１により蓋板１１上の軸部１１１に軸回転接合し、その接合胞子器は、回転軸を利用し、接合部３１、軸部１１１上の貫通孔内に貫通設置し、軸回転接合常置亜を呈し、載置板３を角度を呈して回転させ蓋板１１上に平らに貼付することができ、同時に載置板３下方の支持構造３４を載置板１１表面上に凹設する収容溝１１３内に収容され、本考案の全体の組み立てを完成する。
【００１９】
上記基台１及び蓋板１１の間の収容空間１０１内部は、電源制御モジュール１５、ファン又はその他のヒートシンクを補助する装置又は構造を収容することができ、そのうち、電源制御モジュール１５は、回路板１５１及び電池１５２を含み、トラック装置２上の回路モジュール２３と電気接続を形成し、電源供給を行い、蓋板１１底部に電池１５２を収容する収容室１１４を設け、且つ収容室１１４上方の開口に外蓋１１５を結合する。また、基台１左右両側にそれぞれ連動部材１６１を有する押圧部１６を設け、即ち、押圧部１６により連動部材１６１を連動し、パッド１２上の対応する支持部材１２１に離脱又は嵌合することができ、これにより、パッド１２を基台１と分離組み立て状態を形成することができるが、実際の使用時は、これに限定するものではなく、基台１底部もパッド１２に一体に成型し、且つパッド１２は、エチレン酢酸ビニル共重合樹脂（ＥＶＡ）、ポリウレタン（ＰＵ）発砲又はプラスチック材質等から形成され、良好な緩衝、震動吸収機能を有する。
【００２０】
更に、回路モジュール２３が具える検出モジュール２３１は、使用者がローラーを推し動かし、前後転動、左右に滑動する動作を検出することができるが、この部分は、検出モジュール２３１が如何に光線の投射、屈折結像を発生するか、Ｘ軸、Ｙ軸の移動距離及びトラックの計算等は、現有技術であるので、本願の特許請求の範囲に影響を及ぼすものではなく、ここでは詳細を記載しない。接続インタフェースモジュール２３３は、電子装置４上のインタフェース接続ポート４１と有線又は無線伝送方式の信号伝送を行い、接続インタフェースモジュール２３３は、ＵＳＢ又はＰＳ２の有線接続インタフェースであるか、無線通信、ブルートゥース技術（blue tooth）又は赤外線無線伝送インタフェースであることができ、本考案は、好適な具体的実施例は、ブルートゥース技術を利用し無線伝送を行なうものとし、電子装置４を操作することに用い、入力モード及び機能操作を行ない、且つ接続インタフェース２３３上に電源スイッチ２３３１及びブルートゥース機能をオン又はオフするスイッチ２３３２を設ける。また、載置板３は、プラスチック、アルミ又は銅材質で形成されることができ、そのヒートシンク部材３２も、アルミ又は銅材材質で形成され、良好な熱伝送効果を有するヒートシンクブロック又はヒートシンク型式であることができ、ヒートシンクブロック底面上に更に複数のヒートシンクフィンを設けることができ、且つ該ヒートシンク部材３２が載置板３と一体に成型されるか、嵌合、螺合方式で分解組み立て可能に構成され、前記効果を達成できる型式は、何れも本考案が概括するものであり、この種の簡易な修飾及び構造の変化は、何れも本考案の権利範囲内に含むものである。
【００２１】
図２、図３、図４、図５は、それぞれ、本考案の立体分解図、他の視角の立体分解図、好適実施例の側面断面図及び好適実施例の平面図であり、図から分かるように、本考案は、卓面上に安置できるか、使用者の足上に置いて使用する時、載置板３を引き動かし、軸部１１１を軸心とし上向きに角度を呈し回転することができ、載置板３下方が軸回転接合する支持構造３４を外向きに開き、その支持部３４２を蓋板１１上のフック部１１２に係止させ、支持構造３４により上向きに支持し、載置板３に所定の傾斜角度を形成し、且つ該フック部１１２は、間隔を呈して配列する複数の凸ブロック又は凹溝であることができ、異なる高度位置調整を行い、載置板３上に安置した電子装置４（例えば、ノートパソコン、ＰＤＡ又はマルチメディア装置等）に適当な傾斜角度を持たせ、電子装置４側辺が載置板３のトラック装置２に隣接する一側の係止ブロック３１１を受けて係止し、定位効果を形成し、且つ該係止ブロック３１１上に滑り止めパッドを設けることもでき、それにより、使用者のスクリーンの観覧、両手をパッド２５上に置いてトラック装置２を操作することに便利であることができ、且つより円滑であり、パッド１２を介して良好な緩衝、震動吸収機能を有し、使用者が両足上に置いて使用時に快適であり、全体の使用上の機能及び効果を向上する。
【００２２】
使用者は、手腕をパッド２５上方に支持、平置きする時、手指でローラー２２を押し動かし、操作制御し、ソケット体２１上で前後回転、左右滑動を行い、この時、回路モジュール２３が具える検出モジュール２３１は、載置台２１１底部の貫通孔２１１２を介して、ローラー２２に対するＸ軸、Ｙ軸の移動距離及びトラックの計算を持続し、電子装置４のスクリーン上のポインタの同期変位を操作制御し、これにより、人体工学設計に適合でき、使用者の操作制御時の同一姿勢の維持を確保し、手部に硬直、こりが発生することがなく、且つローラー２２が自潤性材質で形成されることができ、摩擦抵抗力を低減し、使用時の安定性及び快適性を向上する。
【００２３】
使用者がローラー２２を推し動かし左右に滑動させる時、ローラー２２端部が載置台２１１一側のプッシャー２１１４を押すことにより、プッシャー２１１４他側のソケット体２１２上に回転支持する制御スイッチ２３２を連動し、信号触発通導を行い、制御スイッチ２３２に電子装置４のスクリーン上のポインタを制御し、Ｘ軸方向の左右の移動を行なう。また、載置台２１１下方は、更に１つ以上の弾性部材（図示せず）を設けることもでき、載置台２１１に懸架状態を呈し、使用者が下向きにローラー２２に押圧する時、載置台２１１を下向に連動し、弾性部材を圧縮し、弾性変形を発生し、回路板２３０上の制御スイッチ２３２により、下向きにソケット体２１表面上に支持し、信号触発導通を行い、ポインタにクリック効果を発生させ、且つ載置台２１１が下向きに移動する過程において、同時にローラー２２を押し動かし、前後転動、左右滑動の動作を行ない、使用者がローラーの推し動かし、押圧を停止する時、弾性部材が具える弾性回復力を介して載置台２１１を上向きに元の位置に回復させ、懸架状態を呈することができる。
【００２４】
更に、回路モジュール２３が具えるタッチ制御パネル２３４は、ソケット体２１外部に露出し、且つタッチ制御パネル２３４上に複数の機能ボタンを有し、異なる入力モード、例えば、プッシュボタンモード、ウェブサイトスクロールモード、ドラッグモード又はポインタ制御移動等を行うことができ、使用者が手指でタッチ制御パネル２３４にタッチし、電子装置４のスクリーン上のポインタ又は画面の移動を行い、且つ機能ボタンにタッチし、マウス左右ボタン機能を使用することに相当するが、マルチメディアプレーヤーの再生、停止、早送り、巻戻し、及び音量の大きさの調整を操作することができ、更にスクリーンの明るさ、コントラストの設定等の機能を行ない、使用者の簡易操作に便利でもある。
【００２５】
また、その電子装置４内部の主基板及び電子部材は、通常、底部に設置され、長時間の動作において、一定の温度を発生し、同時に操作上の安定性及び快適性に全体的に影響を及ぼし、載置板３表面上のヒートシンク部材３２及び電子装置４底部に良好な貼合を形成することにより、電子装置４の動作時に発生する熱量をヒートシンク部材３２上に迅速に熱伝導でき、同時に、ヒートシンク部材３２を介して載置板３底部及び基台１の間に形成するヒートシンク空間３０を露出し、電子装置４内部に蓄積された熱量と外部の冷気に熱交換を行い、温度を下げ、全体のヒートシンク効率を向上し、良好な温度低減、ヒートシンク効果を有し、この種のヒートシンク部材３２を利用し、電子装置４と直接貼合、ヒートシンクする方式は、基台１にあまり多くのファン、ヒートシンクを装着する必要がなく、積載する重量及び占有空間を減少し、全体の体積を相対して縮小し、より小型化することができる。
【００２６】
また、上記は、ただ本考案の好適実施例であり、本考案の権利請求範囲をこれに限定するものではなく、本考案の操作制御装置は、ノート型パソコン、携帯電話又はその他の電子装置４上に応用して、使用し、支持構造３４により異なる高さに調整し、載置板３に支持し、所定の傾斜角度を形成し、使用者の電子装置４の観覧、操作に便利であり、より円滑にし、載置板３上のヒートシンク部材３２を介してヒートシンクを補助し、良好なヒートシンク効果を有する。また、載置板３下方の支持構造３４は、フレーム板型式であることができ、基台１上のフック部１１２と組み合わせ異なる高さに位置調整でき、且つ載置板３一側の結合部３１及び蓋板１１上の軸部１１１は、歯車組、棘輪機構を利用し、一定角度を呈し転動定位することもできる。更に、トラック装置２は、使用者の要求又は、設計の違いに応じて各種方式で実施でき、例えば、マウス、タッチ制御パネル又は、その他の電子装置４のスクリーン上のポインタ変位を制御できるトラック装置２であることもでき、且つ該ローラー２２は、キャップ体、トラックボール型式であることもでき、使用者に転動又は滑動動作を行なわせ、検出モジュール２３１を介してＸ軸，Ｙ軸の移動距離及びトラックの計算を行い、接続インタフェースモジュール２３３によりブルートゥース技術を利用し、電子装置４に無線伝送し、入力モード及び機能操作を行なうことができるが、本考案の技術特徴をこれに制限するものではなく、当該技術を熟知する者なら誰でも、本考案の精神と領域を脱しない均等の範囲内で各種の変動や潤色を加えることができることは勿論である。
【符号の説明】
【００２７】
１  基台
１０  接合空間
１０１  収容空間
１１  蓋板
１１１  軸部
１１２  フック部
１１３  収容溝
１１４  収容室
１１５  外蓋
１２  パッド
１２１  支持部材
１３  定位部
１４  結合部
１５  電源制御モジュール
１５１  回路板
１５２  電池
１６  押圧部
１６１  連動部材
２  トラック装置
２１  ソケット体
２１１  載置台
２１１１  転動溝
２１１２  貫通孔
２１１３  フック溝
２１１４  プッシャー
２１２  底台
２２  ローラー
２３  回路モジュール
２３０  回路板
２３１  検出モジュール
２３２  制御スイッチ
２３３  接続インタフェースモジュール
２３３１  電源スイッチ
２３３２  スイッチ
２３４  タッチ制御パネル
２４  殻体
２４１  鏤空溝
２４１１  外枠
２４２  収容溝
２５  パッド
３  載置板
３０  ヒートシンク空間
３１  接合部
３１１  係止ブロック
３２  ヒートシンク部材
３３  接続部
３４  支持構造
３４１  突合せ接合部
３４２  係止部
４  電子装置
４１  インタフェース接続ポート
【図１】
0003162956.tif 000003
【図２】
0003162956.tif 000004
【図３】
0003162956.tif 000005
【図４】
0003162956.tif 000006
【図５】
0003162956.tif 000007